(57)【要約】ウィルス抑制のため、電極（Ａ，Ｂ）間でウィルスのついた組織を介して、極性が反転する電流信号を供給する装置（１０）及び方法。
2006513767.tif 000002
【特許請求の範囲】
【請求項１】
人間の肌におけるウィルス性の現象を経皮的に抑制する方法において、
第１制御期間中、間隔をおいた電極間の前記肌のウィルスのついた領域を横切って第１極性の低アンペア電流信号を外部から加える工程と、
前記第１極性を反転し、第２制御期間中、前記電極間の前記ウィルスのついた領域に低アンペア電流信号を逆に外部的に加える工程とを含むことを特徴とする方法。
【請求項２】
請求項１に記載の方法において、第１及び第２差動出力回路は、前記電流信号を電極間に各々第１及び第２方向において供給することを特徴とする方法。
【請求項３】
請求項２に記載の方法において、前記第１及び第２差動出力回路を、オフの場合、ゼロバイアスをかける工程をさらに含むことを特徴とする方法。
【請求項４】
請求項２に記載の方法において、該方法をタイムアウトし、前記差動出力回路の急速な回復を引き起こし、該方法を繰り返す工程をさらに含むことを特徴とする方法。
【請求項５】
請求項１に記載の方法において、予め決められた間隔後、電気エネルギーの低電圧源へのアクセスを自動的に中止し、電力を保存する工程をさらに含むことを特徴とする方法。
【請求項６】
請求項３に記載の方法において、前記電気エネルギー源へのアクセスは、人間の介入によって回復されることを特徴とする方法。
【請求項７】
請求項１に記載の方法において、前記電極間を通る前記電流信号は、ウィルスがついた領域を通過することを特徴とする方法。
【請求項８】
請求項１に記載の方法において、前記電極間の前記電流信号は、正弦波、半波整流波、全波整流波及びランプ波形から成るグループから選択される波形を具えることを特徴とする方法。
【請求項９】
請求項１に記載の方法において、前記電極間の前記電流信号は、方形波、三角波、のこぎり波及び逆ランプ波から成るグループから選択される波形を具えることを特徴とする方法。
【請求項１０】
請求項１に記載の方法において、出力極性は、トリガ回路によって反転されることを特徴とする方法。
【請求項１１】
請求項１に記載の方法において、該方法は、携帯用装置の使用を含むことを特徴とする方法。
【請求項１２】
請求項１に記載の方法において、前記極性の反転は、数マイクロ秒において起こり、各々の方向における前記出力電流信号は数秒を占めることを特徴とする方法。
【請求項１３】
請求項１に記載の方法において、前記電流は、電気エネルギーの低電圧源から得られることを特徴とする方法。
【請求項１４】
請求項１に記載の方法において、高ゲイン増幅は、前記出力電流信号を皮下組織中に深くドライブすることを特徴とする方法。
【請求項１５】
請求項１３に記載の方法において、前記高ゲイン増幅は、前記電極に伝達される前記信号を再生することによって達成されることを特徴とする方法。
【請求項１６】
請求項１に記載の方法において、前記出力電流信号のレベルを検出し、前記レベルが予め決められた量を超える場合、警告を与え、前記電極間の電流の流れを止める工程をさらに含むことを特徴とする方法。
【請求項１７】
請求項２に記載の方法において、該方法が安全制限内で正確に動作している場合をユーザに示す工程をさらに含むことを特徴とする方法。
【請求項１８】
人間の肌におけるウィルス性の現象を経皮的に抑制する装置において、
電気的エネルギーの低電圧源と、
間隔を置いた電極と、
前記低電圧源及び前記電極に接続され、低アンペア電流信号を、最初にある方向において、その後に反対方向において、前記電極間で人間のウィルスがついた肌領域を通過させる回路網とを具えることを特徴とする装置。
【発明の詳細な説明】
【技術分野】
【０００１】
本発明は、一般に、ウィルス性の現象を縮小することに関し、より特には、ウィルスのついた領域に極性が反転する電流信号を負わせるウィルス抑制装置及び方法に関する。
【０００２】
体内のウィルスの存在は、痛み、発熱、炎症、腫脹、かゆみ及び機能障害を伴う、単純疱疹、生殖器の病気、障害、いぼ、腫瘍等として、様々に現れる。
【０００３】
ウィルス感染は、しばしば長期間で反復性であるため、苦しんでいる人にすぐに連続的に利用可能な、ウィルス感染を抑制する技術を与えることは、特に個人への、一般に人類への貴重な利益になるであろう。
【０００４】
要約において、本発明は、ウィルス性の現象を抑制することに関係する過去の問題を、ウィルスのついた領域に極性が反転する電流信号を負わせる装置及び方法によって、克服又は実質的に軽減しする。
【０００５】
上記を念頭において、第１の目的は、ウィルス現象を抑制することにおける過去の問題を、克服又は実質的に軽減することである。
【０００６】
他の主要な目的は、電極間の電流信号を最初に一方向において次に他の方向において負わせる装置及び方法を使用してウィルス減少を抑制することである。
【０００７】
他の重大な目的は、苦しんでいる人にすぐに連続的に利用可能な、ウィルス現象を抑制する新奇な装置及び方法を与えることである。
【０００８】
他の重要な目的は、以下の特徴、すなわち、携帯性、自己操作可能、病気の激しさと頻度を減少する、非侵襲性、費用効果的、楽なメンテナンス、汚染された場合、廃棄可能及び交換可能であるが、長持ちする、本質的に無痛、低パワー、パワーを一定に保つ、種々の波形に利用可能である、極性反転の間の急速な変化を与える、長く存在する満たされていない必要性を解決する、の１つまたはそれ以上を有するウィルス抑制装置を与えることである。
【０００９】
本発明のこれら及び他の目的及び特徴は、添付する図面の参照と共に与えられる詳細な説明から明らかになるであろう。
【発明を実施するための最良の形態】
【００１０】
本発明は、ウィルス抑制非侵襲性装置及び方法に関する長く存在する満たされていない必要性と取り組む。ここに開示される新奇の装置及び方法は、基本的に、非侵襲性を基礎として、ウィルスのついた領域に極性が反転する電気信号を負わせる。本装置は、小型にできるため、便利であり、結果として、いくつかの実施例は、携帯用で自己利用されてもよく、これにより、電流信号は、露出され間隔をあけられた電極又はプローブ間を、口中発疹又は単純疱疹に冒された唇のような、冒された人間のウィルスのついた領域を経て通過する。前記電流信号の極性は、比較的短い期間の後、急速に反転し、制限された期間中、逆に適用される。いくつかの実施例において、前記電流信号は、低電圧電源から、数秒間一方の電極に加えられ、極性を反転する変化は、マイクロ秒のみかかり、第２電極へ逆に加えられる電流信号も、数秒のみ消費する。しかしながら、このプロセスは、人間の損傷のリスクなしで、周期的に繰り返されてもよい。露出の長さは、適宜短縮又は延長されてもよい。極性の反転は、２個の差動回路間に置かれたトリガ回路によって調整される。
【００１１】
本装置及び関係する方法は、ウィルス現象の激しさ、頻度及び持続時間を減少する。本装置は、費用効果的で、メンテナンスが楽で、きわめて長い時間機能的であることができると同時に、装置又はそのプローブが汚染され、完全な浄化がもはや行えなくなった場合、廃棄及び交換されることができる。開示される装置は、本質的に無痛であり、低電力を使用し、自動シャットオフを有し、エネルギーを一定に保ち、１つ又はそれ以上の種々の波形を使用することができる。本装置は、ユーザ又は本装置に不注意に近づくかもしれない子供への損害を防ぐ安全機能を含む。
【００１２】
極性における反転は、この時点においてその正確な理由が完全に理解されなくても、重要である。知られている副作用はなく、単に、肌においてわずかなうずきがある。
【００１３】
開示される装置（抑制器）は、電極間をウィルスがついた組織を経て通過する電流信号が安全な範囲を超える場合、該装置をシャットダウンする大電流無効回路を含む。
【００１４】
二極双投スイッチは、抑制を急速に反転するのに使用されてもよい。最初に第１方向、次に第２方向における前記信号は、２個の差動回路から向かい合った２個のプローブ又は電極を経て連続的に発せられる出力を具える。開示される装置における前記差動回路の内部回路網は、ゼロバイアス回路網を具える。前記ゼロバイアス回路網は、プッシュブタンの手動操作によって非活性化される。ゼロバイアスは、反転極性信号がタイムアウトする場合に復帰し、電力を保存する。高ゲインが達成されることができ、活性離散的な要素は抑制器において利用されることができる。再生回路は、急速な利用のために前記抑制器をブートすることができる。
【００１５】
スタートプッシュボタンは、好適には、透明又は半透明カバーの内部であり、前記カバーは前記カバーを経ての前記スタートプッシュボタンの操作を可能にする。同様に、特定の光インジケータ（ＬＥＤ）は、透明又は半透明ケーシング内にあるものとして開示される。より詳細にここで説明されるように、視覚的インジケータは、ユーザに、前記装置が活性化されること、前記電流信号の方向、前記信号の電流の振幅が安全範囲内か又は安全範囲内を超えていることを伝える。前記抑制器は、そうしなければ多重又は誤スタートを生じるかもしれない回路バウンスを打ち消す。
【００１６】
２個の間隔を置いた電極又はプローブは、取り外し不可能であってもよく、非金属導電性材料のものにして、耐用年数を増し、腐食を防ぎ、使用間のより効率的な清掃を可能にしてもよい。前記電極間の電流信号は、好適には、プローブ表面の大きい領域を横切って払い出されるか、または広げられ、潜在的な害を減少し、ウィルスのついた領域のすべての部分中に拡散できるようにする。金属プローブを経て集中した寝具尾は、ユーザへのより高い負傷のリスクを形成するかもしれない。バッテリは、きわめて小さい寸法の商業的に利用可能な９ボルトトランジスタラジオバッテリが現在好適であっても、任意の好適な形式のものであってもよい。開示される装置におけるこのようなバッテリの耐用年数は、数年間であってもよい。少ない電圧ロスは、出力回路の飽和を生じるために使用される場合、高ゲイン及び再生特徴で生じることができる。はんだ付けされたバッテリ導体は、腐食が少ないため、より長く利用可能な耐用年数に関して、スナップコネクタより好適である。
【００１７】
ここで、一貫して同じ数字が同じ部分を示す図面を参照する。図１は、本発明の原理を用いる、一般に１０で示される携帯用ウィルス抑制器を例示する。抑制器１０は、ユーザの一方の手１５において保持される一般に１２で示される着脱可能なプレスフィットキャップを具え、一般に１４で示される本装置の活性部分は、第２の手１６において保持されるように示される。活性部分１４は、ウィルスがついた組織が配置される予め決められたギャップ又は空間１８によって分離された１対の間隔を置いたプローブ又は電極“Ａ”及び“Ｂ”を具える。電極Ａ及びＢの隣は、半透明ケーシング２０であり、半透明ケーシング２０は、以下に詳細に説明されるように、該ケーシングの下に配置されるプレススタートボタンの作動を可能にするように、 ゆがめることができる。ケーシング２０は、半透明ケーシング２０の下に配置された特定の視覚的インジケータから人間の目に照明を通過させることも可能にする。抑制器１０を構成する電気的構成要素は、ケーシング２０内に配置される。抑制器１０の活性部分１４は、９ボルト電源バッテリ２４が中に配置されるベースハウジング２２をさらに具える。
【００１８】
各々の使用後、ここで説明されるように、プローブ又は電極Ａ及びＢは、アルコール又は他の同様な方法において洗浄され、キャップ１２は、格納目的のため、プローブＡ及びＢ及び半透明カバー２０上に圧入関係において解除可能にもう一度置かれることが好ましい。
【００１９】
ケース２０内に配置された電気的構成要素は、すべて最初にゼロバイアスされ、アイドル時間中、電力消費がないようにする。したがって、商業的に利用可能な９ボルトトランジスタラジオバッテリであってもよい電源２４（図２）は、高品質のものであり、長い貯蔵寿命及び長い耐用年数の双方を有する。
【００２０】
図２の参照を続けて、電源２４は、低電圧電力を、プッシュスタートボタン２６と、波形回路２８と、第１及び第２差動出力回路３０及び３２に供給する。
【００２１】
波形回路２８は、任意の商業的に利用可能な形式のものであってもよく、この波形回路２８によって、所望の信号がキャリア信号に重ねられ、複合信号が最初に第１差動出力回路３０から、その後第２差動出力回路３２から生じる。前記キャリア信号の特性は図３において例示される。前記キャリア信号に重ねられる回路２８からの信号は、正弦波、半波整流正弦波、全波整流正弦波、正又は負ランプ波形、方形又は他のより洗練された波形、正又は負三角波形、のこぎり波形、ランプ波形を含むがこれらに限定されない任意の所望の形式のものであってもよい。したがって、前記重ねられた波形は、当業者の最もよい判断において所定の用途に最も適切であると思われる形式に応じて、単純から複雑までの範囲であってもよい。したがって、前記出力信号は、ウィルスがついた場所の所望の電流信号飽和を与えるように適切な構成の他の波形が重ねられるキャリア信号として特徴付けられてもよい。
【００２２】
オフ状態にある双方の差動出力回路３０及び３２に関して、半透明ケーシング２０の予め決められた位置は、ユーザによって押下され、第１差動出力回路３０を活性化する。
【００２３】
スタートボタン２６が差動出力回路３０を活性化すると、ボタン２６における圧力が解除され、回路３０への入力はフィードバック又は再生され、プローブＡに伝達される高ゲイン増幅出力信号が供給される。この信号は、空間１８を横切ってプローブＢに伝播する。空間１８は、抑制器１０の動作中、口辺ヘルペス又は単純ヘルペスが形成された人間の唇のような組織のウィルスがついた領域によって占められる。第１差動出力回路３０における高ゲイン増幅は、プローブＡにおける出力を深く飽和させ、ゼロに近い内部電圧効果は、出力信号電圧レベルを完全に近いバッテリ電圧（代表的に９ボルト）にする。
【００２４】
第１差動出力回路３０が活性化され、低電流信号をプローブＡに伝達する場合、第１カラーＬＥＤ又はカラーインジケータ３８は点灯され、半透明ケーシング２０を経てユーザに視覚的に観察可能になるようにする。これは、 第１差動出力回路３０が適切に機能し、安全範囲内の大きさを有する電流信号をプローブＡに伝達するようにする。
【００２５】
第１差動出力回路３０がオンになり、電流信号がプローブＡに伝達されると、タイミング回路４０は、プローブＡが前記信号を受ける持続時間を制御する。タイミング回路４０が休止する場合、第１差動出力回路３０はターンオフし、トリガ回路４２は第２差動出力回路３２を活性化する。これは、第２差動出力回路３２の状態をオフからオンへ変化させ、タイミング回路４４を活性化し、タイミング回路４４は、第２差動出力回路３２が低電流信号を電極Ｂに伝達する時間の長さを制御し、前記低電流信号は、空間１８におけるウィルスがついた組織を通過してプローブＡに戻る。タイミング回路４４によって設定された予め決められた時間が満期になると、回路４４は、第２差動出力回路３２をターンオフさせる。この状態において、信号はプローブＡ又はＢのいずれにも発せられない。タイミング回路４４は、上述したように、第２差動出力回路３２がプローブＢに発する信号において、ゲインを増す再生を活性化する。
【００２６】
双方の差動出力回路３０及び３２がオフの場合、抑制器１０は、スタートボタン２６をもう一度押すことによってのみ再活性化され、上述した手順を再開始する。
【００２７】
第１差動出力回路３０に関して真であることで、第２差動出力回路３２は高ゲイン増幅を提供する。第２差動出力回路３２が電流信号をプローブＢに伝達している場合、第２カラーＬＥＤ又は光インジケータ５０は、ユーザによる視覚的観察のため、透明ケーシング２０を経て視覚的に明るくされる。
【００２８】
プローブＡ及びＢは、各々過電流回路５２及び５４によって各々監視される。前記プローブ間の電流信号のミリアンペアの大きさが予め決められた量を超えるならば、過電流回路５２及び５４は、第１及び第２差動及び再生出力回路３０及び３２の双方をオン状態にし、更なる電流信号がプローブＡとＢの間を通過しないようにする。すなわち、プローブＡ及びＢにおける電流レベルは、皮膚が濡れていない限り、許可される範囲内にとどまる。濡れている場合、双方の回路３０及び３２はオン状態におかれ、双方のＬＥＤ３８及び５８は点灯される。このとき、抑制器１０は前記ウィルスがついた場所から移動され、抑制器１０を使用するプロセスが繰り返される。第１及び第２差動出力回路の双方がオン状態におかれている場合、第１差動出力回路３０は、上述した予め決められたオン時間後、ターンオフする。同様に、第２差動出力回路３２は、その通常の予め決められた逆極性期間の終了時にターンオフする。
【００２９】
図４の回路図に関連してより詳細に説明されるように、再生回路３４及び４６は、第１及び第２差動出力回路３０及び３２からの出力信号の、各々、回路３０及び３２の入力部への帰還を援助し、これによって高ゲイン増幅を得る。
【００３０】
タイミング回路４０及び４４は、充電及び放電キャパシタを具え、最初の一方の極性及び次の逆極性の各々の出力シーケンスに関する期間を設定する。
【００３１】
各々の差動出力回路３０及び３２は、出力レベル、信号極性及び流れる方向が、第１差動出力回路３０と第２差動出力回路３２との間で異なって設定されるフローティングとして特徴付けられることができるような特性のものである。各々の回路３０及び３２の回路網は、アイドル時間中回路３４及び３６によってゼロバイアスされ、バッテリ２４からの電力の流出を防ぐ。各々の回路３０及び３２は、高ゲイン活性離散素子又は構成要素を具え、これら２つの回路間のゼロバイアスがつりあわされるようにする。
【００３２】
プローブＡ及びＢは、取り外し不可能であってもよく、所望の低レベルのオーム抵抗を有する非金属導電性材料のものであってもよい。非金属導電性材料は、清掃によりよく適応し、チップ領域全体を横切って信号を広げ、できるだけ多くのウィルスがついた組織にいきわたるようにする。前記信号の広がりは、火傷のどのようなリスクも取り除き、これによって抑制器１０をより安全にする。
【００３３】
上述したように、ケーシング２０は、好適には、ゆがめることができ、半透明又は透明であり、その内部において視覚的インジケータ３８及び５８の視覚的観測に適応し、ゆがみを経てプッシュボタン２６の作動に適応する。
【００３４】
本発明は、比較的少ない部分を含み、一般的に使用される構成要素を含み、容易に得られる公差を含み、温度又は湿度に敏感でなく、長い耐用年数を提供する。回路網は、回路ボードの一方の表面において取り付けられ、結果として高い信頼性と低コストを生じる。電気的接続は、高湿度環境による腐食はほとんど起こらないため、信頼性を改善するために、スナップコネクタに対抗して、はんだ付けされたバッテリ導線との直接結合によるものであることが好適である。
【００３５】
結果として生じる抑制器は、小型で、安く、長引いた使用後に汚染された場合、交換可能である。本発明によるウィルス抑制器及び関係する方法は、非侵入的メカニズムに関する長年の以前に満たされていない問題を解決し、これによって、単純ヘルペス、病変、腫瘍、いぼ、口辺ヘルペス、疱疹、感染、帯状疱疹及び他のウィルスが抑制され、これらは、あまり厳しくなくなり、あまり頻繁でなくなり、持続時間がより短くなる。本抑制器は、携帯型であり、自己利用されることができる。
【００３６】
ここで、ケーシング２０内に含まれる回路網を例示する図４を参照する。前記回路網は、 図２に関連して例示され説明されるブロック内に含まれる構成要素に関係する。抑制器１０がアイドルの場合、ゼロバイアス回路３４及び３６は、前記回路網にゼロバイアスを与え、バッテリの放電が起こらないようにする。抵抗Ｒ２Ａ及びＲ２Ｂは、抑制器１０がオフの場合、回路３０及び３２へのエネルギーロスを防ぐ。抵抗Ｒ２Ａ及びダイオードＤＡと抵抗Ｒ２Ｂ及びダイオードＤＢの各々の組み合わせは、抑制器１０がゼロバイアス回路３４及び３６によってブリードオフされる場合、以後説明されるトランジスタＱ１Ａ、Ｑ２Ａ、Ｑ１Ｂ及びＱ２Ｂへの入力からの漏れを防ぐ。抵抗Ｒ２Ａ及びＲ２Ｂの理由により、ダイオードＤＡ及びＤＢを経てのグランドへの漏れは防がれる。
【００３７】
ユーザ又はオペレータが抑制器を活性化する準備ができている場合、プッシュスタートボタン２６は手動で押下され、Ｂ１においてすぐに閉じ、電流がＢ１を横切って高オームトランジスタＲ１を経てトランジスタＱ１Ａに流れるのを可能にする。トランジスタＱ１Ａがこのようにトリガされると、プッシュスタートボタン２６は手動で解除され、Ｂ１をその通常の開状態にする。トランジスタＱ１Ａが活性化されると、第１差動回路３０は、以下により詳細に説明されるように、予め決められた期間、電流信号がプローブＡに伝達され、ウィルスがついた領域を経てプローブＢに伝達されるようになる動作におかれる。
【００３８】
第１差動出力回路３０のトランジスタＱ１Ａは、ベースに伝達される前記信号をそのコレクタにおいて１８０度変化させる。トランジスタＱ１Ａのエミッタはグランドである。前記コレクタにおける信号は、直接結合抵抗Ｒ３Ａを横切ってベーストランジスタＱ２Ａに伝達される。トランジスタＱ２Ａは、そのベースに伝達される信号をそのコレクタにおいて１８０度変化させ、前記信号を同相ポジティブに回復する。トランジスタＱ２Ａのエミッタはバッテリ電位である。トランジスタＱ２Ａのコレクタにおける同相ポジティブ信号は、プローブＡと、ＬＥＤ回路３８と、抵抗Ｒ４Ａを具えるフィードバック及び再生回路３６とに伝達される。このフィードバック信号は、キャパシタＣ１Ａを横切ってトランジスタＱ１Ａへの高ゲイン正入力としてトランジスタＱ１Ａのベースに伝達される。これは、前記信号をより高いレベルに再生及び上昇させ、回路３０に、低ゲイン出力から高ゲイン出力に急速に変化させ、トランジスタＱ２Ａをより深く飽和させるのを助け、プローブＡにおける電流信号を強化する。
【００３９】
ここでより詳細に説明されるように、第１差動出力回路３０が回路４０のキャパシタＣ１Ａによってタイムアウトされると、第２差動回路３２は、トランジスタＱ１Ｂ及びＱ２Ｂをターンオンすることを含み活性化される。キャパシタＣ２からの電荷は、トランジスタＱ２Ｂのベースに伝達され、トランジスタＱ２Ｂをターンオンする。トランジスタＱ２Ｂのエミッタはバッテリ電位であり、コレクタは信号を第２ＬＥＤ回路５８と、再生回路４８と、プローブＢとに伝達する。抵抗Ｒ４Ｂから成る再生回路４８は、第２差動出力回路３２に関する同じフィードバック高ゲイン及び増幅を達成し、これによって、最終的に、強化された高ゲイン電流信号をプローブＢに伝達する。
【００４０】
回路３０及び３２において高ゲイン増幅を与えるこのフィードバック再生は、オフオン時間及び逆極性遷移時間条件を減少する。回路３０及び３２は、相補的かつ対称的である。
【００４１】
第１差動出力回路３０のオン時間は、タイミングキャパシタＣ１Ａによって設定され、タイミングキャパシタＣ１Ａは、回路３０を必要な期間中そのオン状態に保つようにキャリブレートされる。回路３０をオンにするのに必要な時間を消費するキャパシタＣ１Ａが完全に充電されると、不十分な電圧がトランジスタＱ１Ａのベースに残り、トランジスタＱ１Ａをオン状態に保つ。したがって、トランジスタＱ１Ａはタイムアウトする。
【００４２】
本発明の高ゲイン増幅及び再生フィードバック特徴は、より小さいキャパシタが必要とされる長さのオン時間を与えることを可能にする。
【００４３】
第１差動出力回路３０がキャパシタＣ１Ａによってタイムアウトされると、第２差動出力回路３２がトリガ回路４２によって活性化される。上述したように、完全に充電されたキャパシタＣ２に格納された電力は、トランジスタＱ２Ｂのベースに伝達され、トランジスタＱ２Ｂをターンオンする。トランジスタＱ２ＢのコレクタがプローブＢ、第２ＬＥＤ回路５８、フィードバック再生回路４８及びタイミング回路４４と連絡する間、トランジスタＱ２Ｂのエミッタはバッテリ電位にある。前記フィードバック信号は、再生回路４８の抵抗Ｒ４Ｂを経てトランジスタＱ１Ｂのベースに流れ、トランジスタＱ１Ｂをターンオンする。トランジスタＱ１Ｂがターンオンすると、トランジスタＱ２Ｂからフィードバック抵抗Ｒ４Ｂを通るフィードバックは、回路３２に必要なオン時間に等しい、完全充電に達するのに必要な予められた期間中、キャパシタＣ１Ｂを充電する。キャパシタＣ１Ｂが完全に充電されると、不十分な電圧がトランジスタＱ１Ｂのベースに達し、トランジスタＱ１Ｂをオンに保つ。したがって、回路３２はタイムアウトし、抑制器１０全体がオフ又は不活性状態に置かれる。回路４８の再生は、プローブＢへの高ゲイン増幅された信号を形成する。
【００４４】
抑制器１０は、相次いで連続的に使用されてもよい。図４に例示された回路網は、前の使用の終了から次の使用の開始までの速い再開回復時間に備える。これは、ダイオードＤＡ及びＤＢによって適応され、これらのダイオードは、関係する差動出力及び再生回路がターンオフするたびに、タイミングキャパシタＣ１Ａ及びＣ１Ｂに関する経路を与え、急速に放電させる。上述したように、ダイオードＤＡ及びＤＢも、漏れをゼロに保つことによって、ゼロバイアス回路３４及び４６を助ける。
【００４５】
第１差動出力回路３０がオンの場合、トランジスタＱ２Ａのコレクタから発する信号は、フィードバックタイミング回路４０を経てプローブＡに連絡するだけでなく、抵抗Ｒ６Ａを越えて第１ＬＥＤ３８にも連絡し、透明又は半透明ケーシング２０を経てこのＬＥＤに照明させる。これは、ユーザに、前記電流信号が安全なミリアンペアレベルであり、電極Ａから電極Ｂに伝達されることを知らせる。同様に、回路３０及びＬＥＤ３８がオフであり、回路３２がオンの場合、トランジスタＱ２Ｂのコレクタからの高ゲイン信号は、回路４４及びプローブＢを経て置き換わるだけでなく、抵抗Ｒ６Ｂを横切って第２ＬＥＤ５８にも伝達され、前記ＬＥＤを点灯させる。これは、ユーザに、前記電流信号が安全な安全なミリアンペアレベルであり、ユーザのウィルスがついた組織によって占められる空間１８を横切って電極Ｂから電極Ａへ通過することを知らせる。
【００４６】
その表面が過度の湿気を有する唇が空間１８において配置される場合のように、一方の電極から他方の電極へ通過する信号の電流レベルが推薦される安全範囲より高くなる場合があるかもしれない。背景として、回路３０がオンの場合、高出力レベル信号をプローブＡに与えることによって、回路３２はオフになり、ゼロ出力をプローブＢに与える。したがって、前記電流信号はプローブＡからウィルスがついた組織を通ってプローブＢに流れ、過電流回路５２の高電流レベルセンサ抵抗Ｒ５Ａを経てグランドにも流れる。前記電流が許容し得ないレベルに増加する場合、抵抗Ｒ５Ｂの両端間の電圧降下を増大させる。第１差動出力回路３０がオンのままである間、第２差動出力回路３２はターンオンする。この状態において、第１及び第２ＬＥＤ３８及び５８の双方は点灯され、ユーザに問題を視覚的に明らかにする。この状況において、プローブＡとＢの間の差は実質的にゼロであり、これらのプローブ間で電流は流れず、これによって、ウィルスがついた組織を流れる電流信号を停止し、ユーザが双方のＬＥＤ３８及び５８がオンなのを観察するかどうかに関係なく、ユーザに対する負傷の危険を排除する。
【００４７】
重大には、トランジスタＱ１ＡとＱ２Ａとの間並びにトランジスタＱ１ＢとＱ２Ｂの間の接続は、各々、抵抗Ｒ３Ａ及びＲ３Ｂを介する直接電流結合である。これは、キャパシタ及び抵抗を含む追加の構成要素の必要性を減少する。結果として、電力のロス、信号の希釈、より低い増幅ゲイン、及び、再生フィードバック信号の時期尚早な減少を含む多数の問題が除去または軽減される。
【００４８】
各々の回路３０及び３２に関するオン時間と、極性の反転に必要な時間とは異なるかも知れないが、回路３０は１０秒又はそれ以上オンであるべきであり、回路３２は極性反転の間に期限が切れる２０マイクロセカンド未満オンであるべきである。プローブＡ及びＢの両端間の信号電圧は、特定の用途において、１０ボルト未満であるべきであり、電流レベルは１ミリアンペア未満であるべきである。
【００４９】
トランジスタＱ１Ａ及びＱ１Ｂは、各々、ＮＰＮ半導体を具え、トランジスタＱ２Ａ及びＱ２Ｂは、各々、対称的な仕様を有するＰＮＰ相補型半導体を具える。
【００５０】
回路３０がターンオフし、回路３２がターンオンした後、極性の急速な反転は、ほとんど瞬時に起こる。キャパシタＣ１Ａはこの時点において飽和し、不十分な電圧がトランジスタＱ１Ａのベースに伝達され、上述したように回路３０をシャットダウンさせ、このとき、キャパシタＣ２は回路３２のターンオンをトリガする。上述したように、この極性反転変化は、マイクロ秒範囲における。
【００５１】
トランジスタＱ１Ａ及びＱ１Ｂから抵抗Ｒ３Ａ及びＲ３Ｂを通過してトランジスタＱ２Ａのベース及びトランジスタＱ２Ｂのベースに至る信号は、可能な最も高い振幅増幅を与え、トランジスタＱ２Ａ及びＱ２Ｂを深い飽和に駆動する。これは、関係するエミッタリードから関係するコレクタリードまでの両端間の最低電圧を降下させる。したがって、前記エミッタリードの電圧源の大部分は、前記コレクタリードから、関係するプローブＡ又はＢの出力に来る。
【００５２】
図２の回路２８のような独立波形回路は、最適な波形をプローブＡ及びＢに供給するのに使用されることができるが、所望の波形は、構成要素の配置だけでなく、回路を構成する電子素子の慎重な選択によって、図４の回路内で内部的に発生されてもよい。
【００５３】
本発明は、その精神又は本質的な特徴から逸脱することなく、他の特定の形式において具体化されてもよい。したがって、前記実施例は、あらゆる点において、説明としてみなされるべきであり、限定としてみなされるべきではなく、本発明の範囲は、上記説明によってではなく添付した実施例によって示され、請求項と同等の意味及び範囲内になるすべての変更は、したがって、ここに含まれることを意図される。
【図面の簡単な説明】
【００５４】
【図１】本発明の原理を用いるウィルス抑制器の斜視図である。
【図２】図１の抑制器のエレクトロニクスのブロック図である。
【図３】所望の波形が重ねられたキャリア信号の図である。
【図４】図１の抑制器に含まれる回路網の回路図である。
【図１】
2006513767.tif 000003
【図３】
2006513767.tif 000004
【図２】
2006513767.tif 000005
【図４】
2006513767.tif 000006
【国際調査報告】
2006513767.tif 000007